(57)【特許請求の範囲】
【請求項１】
キャビネット本体の上部にシンクまたは洗面化粧台が設けられ、キャビネット本体内にシンクまたは洗面化粧台からの排水管が収納されるキャビネットにおいて、キャビネット本体に出し入れ自在に引出しが設けられ、該引出しは、前板と、左右一対の側板と、側板間を任意間隔で仕切る仕切板と、一方の側板と仕切板との間に架設される第一の後板と、第一の後板よりも前方位置において他方の側板と仕切板との間に架設される第二の後板と、前板と一方の側板と仕切板と第一の後板とで囲まれる領域の下端を閉塞して第一の収納室を形成するための第一の底板と、前板と他方の側板と仕切板と第二の後板とで囲まれる領域の下端を閉塞して第二の収納室を形成するための第二の底板とからなり、該引出しをキャビネット本体内に収納した状態において第二の後板の後方に形成される凹部に前記排水管を収納可能であり、該凹部を覆う目隠し板が設けられ、この目隠し板に排水管収納用の切り欠きが設けられることを特徴とするキャビネット構造。
【請求項２】
キャビネット本体の上部にシンクまたは洗面化粧台が設けられ、キャビネット本体内にシンクまたは洗面化粧台からの排水管が収納されるキャビネットにおいて、キャビネット本体に出し入れ自在に引出しが設けられ、該引出しは、前板と、左右一対の側板と、側板間を任意間隔で仕切る少なくとも２枚の仕切板と、一方の側板と該側板に隣接する一方の仕切板との間に架設される第一の後板と、他方の側板と該側板に隣接する他方の仕切板との間に架設される第二の後板と、第一および第二の後板よりも前方位置において仕切板間に架設される第三の後板と、前板と一方の側板と該側板に隣接する一方の仕切板と第一の後板とで囲まれる領域の下端を閉塞して第一の収納室を形成するための第一の底板と、前板と他方の側板と該側板に隣接する他方の仕切板と第二の後板とで囲まれる領域の下端を閉塞して第二の収納室を形成するための第二の底板と、前板と２枚の仕切板と第三の後板とで囲まれる領域の下端を閉塞して第三の収納室を形成するための第三の底板とからなり、該引出しをキャビネット本体内に収納した状態において第三の後板の後方に形成される凹部に前記排水管を収納可能であり、該凹部を覆う目隠し板が設けられ、この目隠し板に排水管収納用の切り欠きが設けられることを特徴とするキャビネット構造。
【発明の詳細な説明】
【０００１】
【発明の属する技術分野】
本発明は、キッチンや洗面化粧台等水回りで用いられるキャビネットの構造に関し、より詳しくはキャビネット本体内に出し入れ自在に引出しが設けられたキャビネット構造に関する。
【０００２】
【従来の技術】
従来より、キッチンシンクや洗面化粧台等の下部のキャビネット本体の前面に開き扉を設けてキャビネット内部を収納スペースとして有効活用することが行われているが、このような開き扉構造の場合、キャビネットの奥に収納される物の出し入れが困難である。
【０００３】
そこで、開き扉構造に代えて引出し構造とすることが提案されている。
【０００４】
【本発明が解決しようとする課題】
ところが、キッチンシンクや洗面化粧台等の下部のキャビネット内には、シンクや洗面ボールからの排水管（トラップを含む。以下同じ。）が収納されているため、引出しの奥行きをキャビネットの奥まで延ばすことができず、引出しの収納量が減って使用者にとって不便なものとなっていた。
【０００５】
また、キャビネットの蹴込み部分を引出し収納に利用したキャビネット構造も提案されているが、キッチンや洗面台の使用勝手を考えると、頻繁に使用するものは比較的薄く、使用頻度の少ないものは比較的厚手の大きいものが多いため、薄い蹴込み部分を引出し収納にすると、頻繁に出し入れする引出しがキャビネットの最下部に位置することになり、きわめて使い勝手の悪いものとなっていた。
【０００６】
【課題を解決するための手段】
本発明は、上記従来技術の問題点を解消することを目的とし、より具体的には、排水管が収納されたキャビネット本体の奥まで有効に利用することができる引出し構造を提供することにより引出しの収納量を増大させるとともに、使い勝手に優れたキャビネットの引出し構造を提供することを目的とする。
【０００７】
この目的を達成するため、請求項１にかかる本発明は、キャビネット本体の上部にシンクまたは洗面化粧台が設けられ、キャビネット本体内にシンクまたは洗面化粧台からの排水管が収納されるキャビネットにおいて、キャビネット本体に出し入れ自在に引出しが設けられ、該引出しは、前板と、左右一対の側板と、側板間を任意間隔で仕切る仕切板と、一方の側板と仕切板との間に架設される第一の後板と、第一の後板よりも前方位置において他方の側板と仕切板との間に架設される第二の後板と、前板と一方の側板と仕切板と第一の後板とで囲まれる領域の下端を閉塞して第一の収納室を形成するための第一の底板と、前板と他方の側板と仕切板と第二の後板とで囲まれる領域の下端を閉塞して第二の収納室を形成するための第二の底板とからなり、該引出しをキャビネット本体内に収納した状態において第二の後板の後方に形成される凹部に前記排水管を収納可能であり、該凹部を覆う目隠し板が設けられ、この目隠し板に排水管収納用の切り欠きが設けられることを特徴としている。
【０００８】
請求項１記載のキャビネット構造によれば、第二の後板の後方に凹部を設けて排水管を収納するようにしているので、引出しの奥行きをキャビネット本体の奥行きに近い寸法まで大きくすることが可能となり、キャビネット本体内の奥まで収納スペースとして有効利用することができ、収納量が増大するとともに、第二の後板の後方部分を覆う目隠し板が設けられているため、引出しを引いたときに床面が見えてしまうことが防止され、見栄えがよく使用勝手に優れたものとなる。
【００１１】
請求項２にかかる本発明は、キャビネット本体の上部にシンクまたは洗面化粧台が設けられ、キャビネット本体内にシンクまたは洗面化粧台からの排水管が収納されるキャビネットにおいて、キャビネット本体に出し入れ自在に引出しが設けられ、該引出しは、前板と、左右一対の側板と、側板間を任意間隔で仕切る少なくとも２枚の仕切板と、一方の側板と該側板に隣接する一方の仕切板との間に架設される第一の後板と、他方の側板と該側板に隣接する他方の仕切板との間に架設される第二の後板と、第一および第二の後板よりも前方位置において仕切板間に架設される第三の後板と、前板と一方の側板と該側板に隣接する一方の仕切板と第一の後板とで囲まれる領域の下端を閉塞して第一の収納室を形成するための第一の底板と、前板と他方の側板と該側板に隣接する他方の仕切板と第二の後板とで囲まれる領域の下端を閉塞して第二の収納室を形成するための第二の底板と、前板と２枚の仕切板と第三の後板とで囲まれる領域の下端を閉塞して第三の収納室を形成するための第三の底板とからなり、該引出しをキャビネット本体内に収納した状態において第三の後板の後方に形成される凹部に前記排水管を収納可能であり、該凹部を覆う目隠し板が設けられ、この目隠し板に排水管収納用の切り欠きが設けられることを特徴としている。
【００１２】
請求項２記載のキャビネット構造によれば、第三の後板の後方に凹部を設けて排水管を収納するようにしているので、引出しの奥行きをキャビネット本体の奥行きに近い寸法まで大きくすることが可能となり、キャビネット本体内の奥まで収納スペースとして有効利用することができ、収納量が増大するとともに、第三の後板の後方部分を覆う目隠し板が設けられているため、引出しを引いたときに床面が見えてしまうことが防止され、見栄えがよく使用勝手に優れたものとなる。
【００１６】
シンクキャビネットや洗面化粧台キャビネットにおいて、シンクや洗面化粧台の排水口からの排水管をトラップまで真っ直ぐに延長させ、トラップからの排水管をキャビネット本体の後方に延長させて背板に沿って下方に延長させた、バック排水方式と呼ばれるものがある。このようなキャビネットにおいて、排水口からトラップまでの範囲を上部収納部とし、トラップより下方を下部収納部とし、且つ、上部収納部に前記構成の引出しを設けることによって、該引出しがキッチンや洗面台の作業において頻繁に使用する収納物に見合った収納量を有するものとなって引き出し操作を容易に行うことができ、また、下部収納部の収納量を大きく取ることができるので、使用頻度の低い比較的大きな収納物の収納に便利な物となる。下部収納部の形態は任意であり、引出し、ワゴン、開き扉等の各種のタイプを採用することができる。
【００１７】
【発明の実施の形態】
以下添付図面に基づいて本発明の実施の形態について説明する。
【００１８】
図１〜図５に示す実施形態は洗面化粧台キャビネットであり、水栓２やシャワー水栓３を有する洗面ボール１の下方に設けられ、洗面ボール１の排水口４からの排水管５およびトラップ６を収容している。排水管５はキャビネット本体１０の底板１４や台輪等を貫通して床排水口に通じている。
【００１９】
洗面ボール１はたとえばホーローや陶磁器製であり、ホーロータイプの場合は幕板としてキャビネット前面上部にホーローに接続する樹脂成型板を用い、陶磁器タイプの場合は木質系化粧板に洗面ボール１の形状に合わせて切り欠きを施した幕板を用いる。
【００２０】
図示しないが、洗面ボール１の上部後端から立設するミラーキャビネット等を有するものであってもよい。
【００２１】
キャビネット本体１０は、上記幕板１１、左右側板１２，１２、背板１３、底板１４等より箱形に形成され、その他必要に応じて蹴込板、台輪等を有する。これらの構成部材はいずれも木質繊維板、合板等の木質系材料により形成することができる。
【００２２】
キャビネット本体１０の内部は、洗面ボール１の排水口４からトラップ６下面までの高さ範囲内に設けられる上部収納部とトラップ６下面よりも下方に設けられる下部収納部とに区画され、上部収納部には後に詳しく説明する構成を有する引出し２０が出し入れ可能に設けられている。引出し１５には前板１６が設けられるとともに、収納スペース１６に相当する部分においてキャビネット本体１０の右側の側板１２にヒンジ止めされた開閉自在の開き扉１８が設けられ、さらに後述の引出し２０には前板２１が設けられており、これら前板１６，２１および開き扉１８でキャビネット本体１０の開口前面を閉じることができるようになっている。これら前板１６，２１および開き扉１８には各々その出し入れ操作または開閉操作のための取手１６ａ，２１ａ，１８ａが取り付けられている。
【００２３】
キャビネット本体１０の内部を上部収納部と下部収納部とに区画したのは、キャビネット本体１０内を収納スペースとして最大限に有効利用するためである。上部収納部に設けられる引出し２０は、洗面ボール１の排水口４からトラップ６下面までの高さ範囲内、好ましくはその高さと略同一の高さ寸法を有するとともに、キャビネット本体１０の横幅と略同一の幅寸法を有することが好ましく、これにより薄型横長の引出し２０として構成される。この引出し２０は、キッチンや洗面台の作業において頻繁に使用する比較的小さな収納物を収納するのに適した高さ・幅寸法を有するものであり、しかも引出し操作も容易であり、使い勝手に優れたものである。
【００２４】
一方、下部収納部はキャビネット本体１０内においてトラップ６下面よりも下方の広い空間を占めることができるため、上部収納部よりも大きな収納量を有し、使用頻度の低い比較的大きな収納物を収納するのに適したものとなる。下部収納部の構成は任意であるが、この実施形態においては下部収納部をさらに左右に区画し、左側の収納部領域にはワゴンタイプの引出し１５が出し入れ自在に設けられ、右側の収納部領域は自由に利用可能な収納スペース１６とされている。引出し１５の前方裏面にはキャスター１９が回動自在に取り付けられているが、引出し１５を収納した状態においてはキャスター１９が接地せずに若干浮いた状態となるように設け、引出し１５を引き出したときにその収納物を含めた自重によって前方に傾いたときにキャスター１９が床面に接地して、引出し１５のスライドを補助するようにすることが好ましい。
【００２５】
上部収納部に設けられる引出し２０についてさらに図６および図７を参照して説明すると、引出し２０は、上記前板２１を内箱（符号なし）の前板２２に貼着して構成されている。前板２１には任意化粧が施されている。この化粧前板２１は上述のようにキャビネット本体１０の前面の一部を構成しており、言い換えれば上部収納部の扉を構成している。なお、この実施形態では内箱前板２２のほかに化粧前板２１を使用しているが、化粧前板２１を省略して、内箱前板２２に化粧を施して上部収納部の扉としてもよい。
【００２６】
内箱は、キャビネット本体１０の横幅と略同一の長さ寸法を有する前板２２と、キャビネット本体１０の奥行きと略同一の長さ寸法を有する左右側板２３ａ，２３ｂと、左右側板間を任意間隔で仕切る、左右側板よりも短い仕切板２４と、側板２３ａと仕切板２４との間に架設される後板２５と、後板２５よりも前方位置において側板２３ｂと仕切板２４との間に架設される後板２６と、前板２２と側板２３ａと仕切板２４と後板２５とで囲まれる領域の下端を閉塞して第一の収納室２９を形成するための底板２７と、前板２２と側板２３ｂと仕切板２４と後板２６とで囲まれる領域の下端を閉塞して第二の収納室３０を形成するための底板２８とから構成されている。
【００２７】
前板２２の後面、側板２３ａ，２３ｂの各内面および仕切板２４の両側面のそれぞれ下端近くには各板の長さ方向に延長する嵌合溝３１，３１・・・が刻設形成されており、これら嵌合溝３１に底板２７，２８の前端木口縁および両端木口縁を挿入し、さらに必要に応じてビスやダボ等による固着および／または接着剤による接着を介して底板２７，２８が取り付けられる。また、後板２５，２６の各内面の下端近くにも各板の長さ方向に延長する嵌合溝３２，３２が刻設形成されており、これら嵌合溝３２に、上記のようにして取り付けた底板２７，２８の後端木口縁を挿入し、ビスやダボ等による固着および／または接着剤による接着を介して側板２３ａ，２３ｂおよび仕切板２４に接合することによって後板２５，２６が取り付けられる。
【００２８】
以上の説明および特に図６から理解されるように、前板２２、側板２３ａ，２３ｂおよび後板２５，２６は各片面において同じ高さ位置に長手方向に延長する嵌合溝３１，３２を有している。したがって、一枚物の長尺木質板の片面の所定高さ位置に溝を刻設形成し、これを所定寸法にカットすることによって、これら前板２２、側板２３ａ，２３ｂおよび後板２５，２６を一挙に作成することが可能である。仕切板２４も同様にして長尺木質板からカットした後、他面の同一高さ位置にも溝を刻設形成して作成することができる。後板２６についても、他面の同一高さ位置にも溝を刻設形成し、後述の目隠し板３５の前端木口縁を収容するようにしてもよい。引出し２０の内箱を構成する各板部材を上記のようにして作成することにより、製造工程の簡略化およびコスト削減を図ることができる。
【００２９】
また、側板２３ａ，２３ｂの各外面には引出し奥行き方向に延長する嵌合溝３３が刻設形成されており、これら嵌合溝３３に、キャビネット本体１０の側板１２，１２の各内面にその奥行き方向に延長するように固定した突条を嵌合させることによって、引出し２０がキャビネット本体１０の上部収納部に対して出し入れ自在に設けられる。なお、引出し２０をスライド自在にする構成については、本実施形態で採用した雄雌の実嵌合構造によるもののほか、スライドレールやコロ等を用いた各種の構成が知られており、そのいずれを採用してもよいことは言うまでもない。
【００３０】
引出し２０の左右側板２３ａ，２３ｂは後板２５，２６の取付位置よりも後方に、すなわちキャビネット本体１０の奥方に向けて延長している。このようにすることで、上記スライド手段を介して引出し２０が最大に引き出された場合であっても、引出し２０のガタツキをなくし、安定した状態で収納物の出し入れを行うことができる。また、左右側板２３ａ，２３ｂは同一寸法とすることが好ましく、これにより引出し２０自体のバランスを良好にするとともに強度を上げ、頻繁な出し入れに耐え得る構造体とすることができる。
【００３１】
仕切板２４の位置は、引出し２０をキャビネット本体１０内に収納したときに排水管５やトラップ６に接触しないように適宜決定される。この実施形態では正面から右寄りに排水管５およびトラップ６が設けられているので、これらが仕切板２４の右側に納まるように、仕切板２４の位置が決定されている。
【００３２】
前述のように、第一の収納室２９の後板２５よりも第二の収納室３０の後板２６が前方にずらして設けられており、これによって第二の収納室３０の後方に、より詳しくは側板２３ｂと仕切板２４と後板２６とで囲まれた領域に、引出し２０をキャビネット本体１０内に収納したときに排水管５およびトラップ６を収容するための凹部３４が形成される。
【００３３】
この凹部３４は、単に排水管５やトラップ６を避けるために設けられるのではなく、これらを収容するものである。トラップ６にはカビが繁殖しやすく不衛生な部分であるが、凹部３４を利用してカビの繁殖を防止するための手段（湿気・臭気吸収剤＝シリカゲル、炭シート等）を設けることによって衛生上の問題を改善することができる。このようなカビ繁殖防止手段は、たとえば、側板２３ｂ、仕切板２４、後板２６の凹部３４に臨む内面部分や、後述の目隠し板３５の切り欠き３６に近接した箇所に貼着して用いることができる。
【００３４】
凹部３４の寸法が大きく形成される場合、引出し２０を全開近くまで引き出したときにこの凹部３４からキャビネット本体１０の床面（底板１４）が見えてしまうので、これを防止するために、排水管５を収納する切り欠き３６を備えた目隠し板３５を設けて凹部３４を隠すことが好ましい。目隠し板３５の取付に際しては、底板２８と同様、側板２３ｂと仕切板２４とに対向して各下端近くに設けられた嵌合溝３３に目隠し板３５の両端木口縁を嵌合させ、その前端が後板２６に当接するまでスライド移動させて取り付けることができるが、嵌合溝３３を用いず、任意の高さ位置、たとえば側板２３ｂ、仕切板２４および後板２６の上端と略面一となるように目隠し板３５を取り付けてもよい。
【００３５】
なお、目隠し板３５に形成される切り欠き３６には、図８に示すように、切り込み付きのゴム３７を取り付けてもよく、このようにすることで排水管５を収容しながらキャビネット床面の露出を完全に防止することのできる目隠し板３５となる。
【００３６】
第一収納室２９の後板２５の位置は特に限定されず、その収納物に応じて適宜位置に設けることができる。既述の実施形態では側板２３ａの後端よりも前方位置に後板２５が取り付けられているが、側板２３ａの後端近くに後板２５を取り付けて第一収納室２９の収納量を増大させてもよい。この場合は、もちろん、仕切板２４の後端位置が後板２５の取付位置に合致するように仕切板２４の長さを延長する必要がある。
【００３７】
上記実施形態では第一収納室２９が一つの大きな収納室とされているが、図９に示すように、この収納室２９をさらに仕切板３８で複数の小さな収納室に区画してもよい。図９に示す例では２枚の仕切板３８を十字状に交差させて第一収納室２９をさらに４つの小さな収納室に区画している。
【００３８】
また、排水管５やトラップ６を収容するために大きな凹部３４を必要とする場合は、図１０に示すように、仕切板２４を側板２３ａ，２３ｂと同一の長さ寸法を有するように延長させることができる。この場合には目隠し板３５に形成する切り欠き３６も、排水管５やトラップ６に見合った大きさのものとする。
【００３９】
以上に説明した実施形態においては、引出し２０を一枚の仕切板２４で第一収納室２９と第二収納室３０とに区画しているが、複数枚の仕切板２４を側板２３ａ，２３ｂ間に設けて３つ以上の収納室に区画するようにしてもよい。特に、キャビネット本体１０のほぼ中央に排水管５やトラップ６が収容されている場合は、側板間に少なくとも２枚の仕切板を設け、中央の収納室の後板を両側の収納室の後板よりも前方位置に設け、中央収納室の後板の後方に、排水管５およびトラップ６を収容するための凹部を形成した実施形態を採用することが好ましい。
【００４０】
このような実施形態による引出し４０が図１１および図１２に示されている。この引出し４０は、キャビネット本体１０の横幅と略同一の長さ寸法を有する前板４１と、キャビネット本体１０の奥行きと略同一の長さ寸法を有する左右側板４２ａ，４２ｂと、側板間を任意間隔で仕切る、側板４２ａ，４２ｂよりも短い２枚の仕切板４３ａ，４３ｂと、側板４２ａと仕切板４３ａとの間に架設される後板４４ａと、側板４２ｂと仕切板４３ｂとの間に架設される後板４４ｂと、これら後板４４ａ，４４ｂよりも前方位置において仕切板４３ａ，４３ｂ間に架設される後板４５と、前板４１と側板４２ａと仕切板４３ａと後板４４ａとで囲まれる領域の下端を閉塞して第一の収納室４８を形成するための底板４６ａと、前板４１と側板４２ｂと仕切板４３ｂと後板４４ｂとで囲まれる領域の下端を閉塞して第二の収納室４９を形成するための底板４６ｂと、前板４１と仕切板４３ａ，４３ｂと後板４５とで囲まれる領域の下端を閉塞して第三の収納室５０を形成するための底板４７とからなり、この引出し４０をキャビネット本体１０内に収納した状態において後板４５の後方に形成される凹部５１に排水管５およびトラップ６を収納するように構成されている。
【００４１】
既述の実施形態と同様、凹部５１には、配管収容用の切り欠き５３を備えた目隠し板５４が任意の高さ位置（好ましくは底板４６ａ，４６ｂ，４７と略面一となる位置＝図１１、または引出し４０の上端と略面一となる位置＝図１２）に設けられ、引出し４０を開けたときに凹部５１からキャビネット床面が見えてしまうことを防止している。
【００４２】
また、既述の実施形態では引出し２０の側板２３ａ，２３ｂをキャビネット本体１０の奥行きに略合致した長さとしながら仕切板２４が側板２３ａ，２３ｂよりも短く形成されているが、図１３および図１４に示すように仕切板２４’を側板２３ａ，２３ｂと略同一長さにして、キャビネット本体１０の奥行きを最大限に利用した第一収納室２９’としてもよい。このような構成によると引出し２０の強度をさらに向上させることができる。なお、図１３および図１４に示す実施形態では、目隠し板３５が引出し上端と略面一となる位置に取り付けられている。また、図１４においては陶磁器製の洗面ボール１が用いられている。
【００４３】
また、引出し２０の側板２３ａ，２３ｂおよび仕切板２４をキャビネット本体１０の奥行きよりも短い寸法にして、引出し２０を収容した状態で、第一収納室２９の後板２５’がキャビネット本体１０の背板１３と間隔をおいて設けられるような実施形態としてもよい（図１５）。
【００４４】
さらに、引出しは洗面ボール１の排水口４からトラップ６下面までの高さ範囲内に設けられるものであって、必ずしもその高さ範囲を実質的にすべて満たす領域とする必要はなく、その高さ範囲内において比較的薄い引出し２０’として設置してもよい（図１６）。図１６においては下部収納部は単なる収納空間として構成されており、その前面には両開きの開き扉１８’が開閉自在に設けられる。
【００４５】
【発明の効果】
本発明によれば、引出しの後方に排水管を収容するための凹部が形成されるため、キャビネット内のスペースを有効に利用することができる。
【００４６】
この凹部を覆う目隠し板を設けることにより、引出しを引き出したときに凹部から床面が見えてしまうことが防止され、見栄えがよくなるとともに、凹部から小物が落ちてしまうことも防止され、使用勝手に優れたものとなる。
【００４７】
特に、シンクまたは洗面化粧台の排水口から排水管のトラップ下面までの高さ範囲内に上部収納部を設けて引出しを出し入れ自在に設けた場合には、該引出しが薄型横長となって、洗面化粧台において頻繁に使用されるヘアブラシ類、ひげ剃り類、せっけん類、歯ブラシ類等の小物を収納するに適した収納構造となり、しかもキャビネットの上部に設けられることで使い勝手に優れている。一方、排水管のトラップ下面よりも下方に設けられる下部収納部には任意の収納構造を採用して、比較的使用頻度の少ないものや比較的大きなものの収納に有効利用することができる。
【図面の簡単な説明】
【図１】本発明によるキャビネット構造を洗面化粧台に適用した実施形態において各収納体をすべてキャビネット本体内に収納した状態を示す全体斜視図である。
【図２】このキャビネット構造から洗面ボールを取り外した状態を示す斜視図である。
【図３】このキャビネット構造において上部収納部に設けられる引出しを引き出した状態を示す斜視図である。
【図４】このキャビネット構造において下部収納部の開き扉を開けるとともにワゴンタイプの引出しを引き出した状態を示す斜視図である。
【図５】このキャビネット構造における図１と同様の状態の断面図である。
【図６】上部収納部に設けられる引出しの内箱を作成する工程および該内箱の前板に化粧前板を貼着する工程を示す説明図である。
【図７】内箱後方の凹部に目隠し板を取り付ける工程を示す説明図である。
【図８】目隠し板の別の構成を示す斜視図である。
【図９】引出しの第一収納部をさらに区画した構成を示す斜視図である。
【図１０】図１０の構成の変形例を示す斜視図である。
【図１１】凹部を引出しの中央部に設けた引出し構成を示す斜視図である。
【図１２】図１２の構成の変形例を示す斜視図である。
【図１３】本発明によるキャビネット構造を洗面化粧台に適用した別の実施形態においてその上部収納部に設けられる引出しを示す斜視図である。
【図１４】このキャビネット構造において図１４の引出しをキャビネット本体内に収納した状態の全体断面図である。
【図１５】本発明によるキャビネット構造を洗面化粧台に適用した別の実施形態において各収納体をすべてキャビネット本体内に収納した状態の全体断面図である。
【図１６】本発明によるキャビネット構造を洗面化粧台に適用したさらに別の実施形態において各収納体をすべてキャビネット本体内に収納した状態の全体断面図である。
【符号の説明】
１  洗面ボール
４  排水口
５  排水管
６  トラップ
１０  キャビネット本体
２０  引出し
２１  化粧前板
２２  前板
２３ａ，２３ｂ  側板
２４  仕切板
２５，２６  後板
２７，２８  底板
２９  第一の収納室
３０  第二の収納室
３５  目隠し板
３６  排水管収容用の切り欠き
【図１】
0003641599.tif 000002
【図２】
0003641599.tif 000003
【図３】
0003641599.tif 000004
【図４】
0003641599.tif 000005
【図５】
0003641599.tif 000006
【図６】
0003641599.tif 000007
【図７】
0003641599.tif 000008
【図８】
0003641599.tif 000009
【図９】
0003641599.tif 000010
【図１０】
0003641599.tif 000011
【図１１】
0003641599.tif 000012
【図１２】
0003641599.tif 000013
【図１３】
0003641599.tif 000014
【図１４】
0003641599.tif 000015
【図１５】
0003641599.tif 000016
【図１６】
0003641599.tif 000017